【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
撮影画像データを記憶媒体に記録する記録手段と、前記撮影画像データを外部装置へ転送する転送手段とを有し、前記転送手段による転送処理を、前記記録手段による記録処理と並行して、もしくは前記記録処理に引き続いて実行可能な撮像装置であって、
前記撮影画像データを、撮影直後に所定時間表示する表示手段と、
前記所定時間内における、前記撮影画像データの消去指示の入力を検出する検出手段と、
前記転送手段による転送を、前記記録手段による記録処理と並行してもしくは前記記録処理に引き続いて実行する場合であって、かつ前記消去指示の入力が検出された場合、前記記録手段により前記記憶媒体に記録された前記撮影画像データを消去させる第１の処理、前記転送手段により実行中もしくは前記記録手段による記録処理に引き続いてこれから実行する転送処理を中止させる第２の処理及び、前記転送手段を通じて、前記転送手段により転送処理が完了した前記撮影画像データの消去を前記外部装置に要求する消去要求を前記外部装置へ送信させる第３の処理のうち、少なくとも１つを実行する制御手段を有することを特徴とする撮像装置。
【請求項２】
前記記録手段による記録処理を行わず、前記転送手段による転送処理のみを行う場合であって、かつ前記消去指示の入力が検出された場合には、前記制御手段が、前記第２の処理及び前記第３の処理のうち、少なくとも１つを実行することを特徴とする請求項１記載の撮像装置。
【請求項３】
前記撮影画像データが、複数回の撮影が１回の撮影指示に対応して実行される撮影モードで撮影された複数の撮影画像データである場合、前記制御手段は、当該複数の撮影画像データを一括して消去するように前記第１乃至第３の処理を実行することを特徴とする請求項１又は請求項２に記載の撮像装置。
【請求項４】
撮影画像データを記憶媒体に記録する記録手段と、前記撮影画像データを外部装置へ転送する転送手段とを有し、前記転送手段による転送処理を、前記記録手段による記録処理と並行して、もしくは前記記録手段による記録処理に引き続いて実行可能な撮像装置であって、
前記撮影画像データを、撮影直後に所定時間表示する表示手段と、
前記所定時間内における、前記撮影画像データの消去指示の入力を検出する検出手段と、
前記記録手段による記録処理を行わず、前記転送手段による転送処理のみを行う場合であって、かつ前記消去指示の入力が検出された場合、前記転送手段により実行中もしくは前記記録手段による記録処理に引き続いてこれから実行する転送処理を中止させる第１の処理及び、前記転送手段を通じて、前記転送手段により転送処理が完了した前記撮影画像データの消去を前記外部装置に要求する消去要求を前記外部装置へ送信させる第２の処理のうち、少なくとも１つを実行する制御手段を有することを特徴とする撮像装置。
【請求項５】
前記撮影画像データが、複数回の撮影が１回の撮影指示に対応して実行される撮影モードで撮影された複数の撮影画像データである場合、前記制御手段は、当該複数の撮影画像データを一括して消去するように前記第１の処理又は第２の処理を実行することを特徴とする請求項４に記載の撮像装置。
【請求項６】
前記制御手段が、ユーザの設定に基づいて、実行する処理を決定することを特徴とする請求項１乃至請求項５のいずれか１項に記載の撮像装置。
【請求項７】
撮影画像データを記憶媒体に記録する記録手段と、前記撮影画像データを外部装置へ転送する転送手段とを有し、前記転送手段による転送処理を、前記記録手段による記録処理と並行して、もしくは前記記録処理に引き続いて実行可能な撮像装置の制御方法であって、
前記撮影画像データを、撮影直後に所定時間表示する表示工程と、
前記所定時間内における、前記撮影画像データの消去指示の入力を検出する検出工程と、
前記転送手段による転送を、前記記録手段による記録処理と並行してもしくは前記記録処理に引き続いて実行する場合であって、かつ前記消去指示の入力が前記検出工程により検出された場合、前記記録手段により前記記憶媒体に記録された前記撮影画像データを消去させる第１の処理、前記転送手段により実行中もしくは前記記録手段による記録処理に引き続いてこれから実行する転送処理を中止させる第２の処理及び、前記転送手段を通じて、前記転送手段により転送処理が完了した前記撮影画像データの消去を前記外部装置に要求する消去要求を前記外部装置へ送信させる第３の処理のうち、少なくとも１つを実行する制御工程を有することを特徴とする撮像装置の制御方法。
【請求項８】
撮影画像データを記憶媒体に記録する記録手段と、前記撮影画像データを外部装置へ転送する転送手段とを有し、前記転送手段による転送処理を、前記記録手段による記録処理と並行して、もしくは前記記録手段による記録処理に引き続いて実行可能な撮像装置の制御方法であって、
前記撮影画像データを、撮影直後に所定時間表示する表示工程と、
前記所定時間内における、前記撮影画像データの消去指示の入力を検出する検出工程と、
前記記録手段による記録処理を行わず、前記転送手段による転送処理のみを行う場合であって、かつ前記消去指示の入力が前記検出工程により検出された場合、前記転送手段により実行中もしくは前記記録手段による記録処理に引き続いてこれから実行する転送処理を中止させる第１の処理及び、前記転送手段を通じて、前記転送手段により転送処理が完了した前記撮影画像データの消去を前記外部装置に要求する消去要求を前記外部装置へ送信させる第２の処理のうち、少なくとも１つを実行する制御工程を有することを特徴とする撮像装置の制御方法。
【手続補正２】
【補正対象書類名】明細書
【補正対象項目名】０００７
【補正方法】変更
【補正の内容】
【０００７】
上述の目的は、撮影画像データを記憶媒体に記録する記録手段と、前記撮影画像データを外部装置へ転送する転送手段とを有し、転送手段による転送処理を、記録手段による記録処理と並行して、もしくは記録処理に引き続いて実行可能な撮像装置であって、撮影画像データを、撮影直後に所定時間表示する表示手段と、所定時間内における、撮影画像データの消去指示の入力を検出する検出手段と、転送手段による転送を、記録手段による記録処理と並行してもしくは記録処理に引き続いて実行する場合であって、かつ消去指示の入力が検出された場合、記録手段により記憶媒体に記録された撮影画像データを消去させる第１の処理、転送手段により実行中もしくは記録手段による記録処理に引き続いてこれから実行する転送処理を中止させる第２の処理及び、転送手段を通じて、転送手段により転送処理が完了した撮影画像データの消去を外部装置に要求する消去要求を外部装置へ送信させる第３の処理のうち、少なくとも１つを実行する制御手段を有することを特徴とする撮像装置によって達成される。
【手続補正３】
【補正対象書類名】明細書
【補正対象項目名】０００８
【補正方法】変更
【補正の内容】
【０００８】
また、上述の目的は、撮影画像データを記憶媒体に記録する記録手段と、前記撮影画像データを外部装置へ転送する転送手段とを有し、転送手段による転送処理を、記録手段による記録処理と並行して、もしくは記録手段による記録処理に引き続いて実行可能な撮像装置であって、撮影画像データを、撮影直後に所定時間表示する表示手段と、所定時間内における、撮影画像データの消去指示の入力を検出する検出手段と、記録手段による記録処理を行わず、転送手段による転送処理のみを行う場合であって、かつ消去指示の入力が検出された場合、転送手段により実行中もしくは記録手段による記録処理に引き続いてこれから実行する転送処理を中止させる第１の処理及び、転送手段を通じて、転送手段により転送処理が完了した撮影画像データの消去を外部装置に要求する消去要求を外部装置へ送信させる第２の処理のうち、少なくとも１つを実行する制御手段を有することを特徴とする撮像装置によっても達成される。
【手続補正４】
【補正対象書類名】明細書
【補正対象項目名】０００９
【補正方法】変更
【補正の内容】
【０００９】
また、上述の目的は、撮影画像データを記憶媒体に記録する記録手段と、前記撮影画像データを外部装置へ転送する転送手段とを有し、転送手段による転送処理を、記録手段による記録処理と並行して、もしくは記録処理に引き続いて実行可能な撮像装置の制御方法であって、撮影画像データを、撮影直後に所定時間表示する表示工程と、所定時間内における、撮影画像データの消去指示の入力を検出する検出工程と、転送手段による転送を、記録手段による記録処理と並行してもしくは記録処理に引き続いて実行する場合であって、かつ消去指示の入力が検出工程により検出された場合、記録手段により記憶媒体に記録された撮影画像データを消去させる第１の処理、転送手段により実行中もしくは記録手段による記録処理に引き続いてこれから実行する転送処理を中止させる第２の処理及び、転送手段を通じて、転送手段により転送処理が完了した撮影画像データの消去を外部装置に要求する消去要求を外部装置へ送信させる第３の処理のうち、少なくとも１つを実行する制御工程を有することを特徴とする撮像装置の制御方法によっても達成される。
【手続補正５】
【補正対象書類名】明細書
【補正対象項目名】００１０
【補正方法】変更
【補正の内容】
【００１０】
また、上述の目的は、撮影画像データを記憶媒体に記録する記録手段と、前記撮影画像データを外部装置へ転送する転送手段とを有し、転送手段による転送処理を、記録手段による記録処理と並行して、もしくは記録手段による記録処理に引き続いて実行可能な撮像装置の制御方法であって、撮影画像データを、撮影直後に所定時間表示する表示工程と、所定時間内における、撮影画像データの消去指示の入力を検出する検出工程と、記録手段による記録処理を行わず、転送手段による転送処理のみを行う場合であって、かつ消去指示の入力が検出工程により検出された場合、転送手段により実行中もしくは記録手段による記録処理に引き続いてこれから実行する転送処理を中止させる第１の処理及び、転送手段を通じて、転送手段により転送処理が完了した撮影画像データの消去を外部装置に要求する消去要求を外部装置へ送信させる第２の処理のうち、少なくとも１つを実行する制御工程を有することを特徴とする撮像装置の制御方法によっても達成される。